【手続補正書】
【提出日】平成22年8月12日(2010.8.12)
【手続補正１】
【補正対象書類名】特許請求の範囲
【補正対象項目名】全文
【補正方法】変更
【補正の内容】
【特許請求の範囲】
【請求項１】
腹膜透析を患者に提供するためのシステムであって、
該患者の腹腔と連通する流入内腔および流出内腔を有するカテーテルと、
該カテーテルと流体連通する流体回路であって、該流体回路が、以下：
流体ループであって、該流体ループが、該腹腔への流入量よりも多い該腹腔からの流出量で、該患者の腹腔内に流入して貫流し、腹腔から流出するように透析液を循環させるように構成された、流体ループ、
該流体回路に結合された透析液の供給源、および
（ｉ）該流体ループに結合されたチャンバであって、該透析液が、該流体ループを通って該流体ループ内に、ある供給量で供給され得るチャンバ、および（ｉｉ）浄化流路を介して該流体ループに結合された浄化デバイスであって、該透析液が、該流体ループ内に再導入される前に、ある浄化量で該浄化流路内に供給されて浄化され得る浄化デバイスのうちの１つ
を備える流体回路と、
該流体ループに結合された排出流体流路と、
該透析液をある供給量で該流体回路内にポンピングし、該流体ループに沿って、ある循環量で該透析液を循環させて、治療上効果的な量の溶質および過剰な水分を該患者から除去するためのサイクラーであって、該サイクラーが、さらに、該循環量未満でかつ該流出量と該流入量との間の差に少なくともほぼ等しい排出量で、該透析液を該流体回路から排水されるように構成され、該透析液が排出前に該流体ループに沿って複数回循環することを可能にする、サイクラーと、
を備えるシステム。
【請求項２】
前記流体回路に結合された圧力を感知するための少なくとも１つの圧力センサをさらに備える、請求項１に記載のシステム。
【請求項３】
前記供給量および前記排出量は、前記透析液が前記流体ループに沿って約２回循環することを可能にする循環量の約半分で、ほぼ等量で維持される、請求項２に記載のシステム。
【請求項４】
前記供給量および前記排出量は、前記透析液が前記流体ループに沿って約３回循環することが可能であるように、循環量の約３分の１で、ほぼ等量で維持される、請求項１に記載のシステム。
【請求項５】
前記サイクラーが２つのポンプを備える、請求項１に記載のシステム。
【請求項６】
前記浄化デバイスが尿素、リン酸塩およびクレアチニンのうちの少なくとも１つを吸着するための吸着剤を含む、請求項１に記載のシステム。
【請求項７】
前記浄化デバイスがイオン交換樹脂を含む、請求項１に記載のシステム。
【請求項８】
前記浄化デバイスが前記透析液に添加するための少なくとも１つの電解質を含む、請求項１に記載のシステム。
【請求項９】
前記浄化デバイスが少なくとも３つの層を含む、請求項１に記載のシステム。
【請求項１０】
前記チャンバによって、前記流体ループが、処置の間、前記透析液の可変増加に適応することができる、請求項１に記載のシステム。
【請求項１１】
前記透析液の可変増加は、前記透析液が患者を透析するときに、前記流体ループに限外濾過液が追加されることによるものである、請求項１に記載のシステム。
【請求項１２】
前記カテーテルを前記流体回路に結合する少なくとも１つのバルブをさらに備える、請求項１に記載のシステム。
【請求項１３】
腹膜透析を患者に提供するシステムであって、
患者の腹腔と連通する流入内腔および流出内腔を有するカテーテルと、
該カテーテルと流体連通する流体回路であって、該流体回路が、以下：
流体ループであって、該流体ループが、該流体ループの１個のループを介して該患者の腹腔内に流入して貫流し、腹腔から流出するように透析液を循環させるように構成され、該流体ループが、透析液供給源と連通する第１流体ライン、排出流体流路と連通した第２流体ライン、該腹腔からの流出流体流路と連通する第３流体ライン、および該腹腔への流入流体経路と連通する第４流体ラインを備える、流体ループ；
透析液の供給源；および
該流体ループに結合されたチャンバであって、該透析液が、該流体ループを通って該流体ループ内に、ある供給量で供給され得るチャンバ
を備える流体回路と、
該透析液を該流体ループ内にポンピングし、該流体ループに沿って、ある循環量で該透析液を循環させて、治療上効果的な量の溶質および過剰な水を該患者から除去するためのサイクラーと、
を備え、
ここで、該排出流体流路が、該第２流体ラインおよび該第３流体ラインに結合され、該透析液が該第２流体ラインおよび該第３流体ラインを通って、ある排出量で該流体回路から排水され、該排出量は、該透析液が、排出前に該流体ループに沿って複数回循環するのに効果的である、システム。
【請求項１４】
前記透析液の供給源が、約２５リットル以下の透析液を含む、請求項１３に記載のシステム。
【請求項１５】
前記透析液が、各々が約６リットル以下の容量を有する４個の別個の供給容器内に収用される、請求項１４に記載のシステム。
【請求項１６】
前記循環量が毎分約３００ｍｌ以下である、請求項１３に記載のシステム。
【請求項１７】
前記チャンバが前記透析液を混合および加熱することが可能である、請求項１３に記載のシステム。
【請求項１８】
前記チャンバが、流体供給路を介して前記流体ループに結合される、請求項１３に記載のシステム。
【請求項１９】
前記供給量および前記排出量が、前記循環量未満のほぼ等しい量に維持され、その結果、前記透析液が前記流体ループに沿って複数回循環することが可能である、請求項１８に記載のシステム。
【請求項２０】
前記チャンバは前記流体ループに直接結合される、請求項１３に記載のシステム。
【請求項２１】
前記透析液が前記流体ループに沿って複数回循環し、該回数が、前記供給量を前記循環量と前記排出量との間の差で除算した値にほぼ等しい、請求項２０に記載のシステム。
【請求項２２】
前記透析液が、約８時間以下の処置期間全体にわたって、前記流体ループ内に連続的に供給されて該流体ループ内を循環し、該流体ループから排水される、請求項１３に記載のシステム。
【請求項２３】
前記チャンバが、処置の間における透析液の可変増加に適応するように構成されている、請求項１３に記載のシステム。
【請求項２４】
腹膜透析を患者に提供するためのシステムであって、
患者の腹腔と連通する流入内腔および流出内腔を有するカテーテルと、
該カテーテルと流体連通する流体回路であって、それによって、該腹腔への流入量よりも多い該腹腔からの流出量で、該腹腔内に流入して貫流し、該腹腔から流出するように透析液を循環させることが可能な１個の流体ループを画定し、該流体回路が、以下：
該流体ループに結合された透析液の供給源；
浄化流路を介して該流体ループに結合された浄化デバイスであって、該透析液が、該流体ループ内に再導入される前に、ある浄化量で該浄化流路内に供給されて浄化され得る浄化デバイス；および
該流体ループに結合された排出流体流路
を備える、流体回路と、
該透析液をある供給量で該流体ループ内にポンピングし、該流体ループに沿って、ある循環量で該透析液を循環させて、治療上効果的な量の溶質および過剰な水を該患者から除去するためのサイクラーであって、該サイクラーが、さらに、該流出量と該流入量との間の差にほぼ等しい排出量で、該透析液を排水するように構成され、該排出量が、該透析液を排出前に該流体ループに沿って複数回循環させるのに有効である、サイクラーと、
を備えるシステム。
【請求項２５】
前記流体ループが、サイクラーを介して前記透析液供給源、前記浄化流体流路および前記排出流体流路に結合される、請求項２４に記載のシステム。
【請求項２６】
前記サイクラーが、ポンピング機構に結合された流体回路と、複数のバルブとを備え、その結果、該サイクラーが、処置の間に前記流体ループ内に流入し、該流体ループから流出する透析液の流量を自動的に制御することが可能である、請求項２５に記載のシステム。
【請求項２７】
前記浄化デバイスが、再使用の前に、溶質を前記透析液から非選択的に除去することが可能な吸着材料を含む、請求項２４に記載のシステム。
【請求項２８】
前記吸着材料が、炭素、活性炭およびこれらの組合せから成る群から選択される、請求項２７に記載のシステム。
【請求項２９】
前記浄化デバイスがイオン交換樹脂を含む、請求項２４に記載のシステム。
【請求項３０】
前記浄化デバイスが、溶質を前記透析液から選択的に除去することが可能な吸着材料を含む、請求項２４に記載のシステム。
【請求項３１】
明細書中に記載のシステム。